(57)【要約】【課題】ワイヤーハーネスの取付け作業性および保持性能に優れた汎用性の高いワイヤーハーネス固定装置を提供し、信頼性の高い低コストのハーネスモジュールを提供する。【解決手段】ワイヤーハーネス１１を保持させる保持部材２１がドアモジュールパネル１２のパネル本体部１２Ｍに一体的に装着されており、保持部材２１は、パネル本体部１２Ｍに片持ち支持された支柱部２２と、支柱部２２の一側方にハーネス収納凹部２３を形成するとともに、支柱部２２の撓みに応じてパネル本体部１２Ｍに接近および離隔するよう回動可能なハーネス押さえ部２４と、ハーネス押さえ部２４をパネル本体部１２Ｍに接近する復帰方向に付勢するよう支柱部２２の他側方に設けられる保持ばね部２５と、基端側でハーネス押さえ部２４と一体に形成され、先端側でハーネス押さえ部２４をパネル本体部１２Ｍから離隔させる方向に回動させるよう操作される操作レバー部２６とを有する。【選択図】図３
2015047060.tif 000002
【特許請求の範囲】
【請求項１】
ワイヤーハーネスを取付け対象側部材に複数箇所で保持させるワイヤーハーネス固定装置であって、
前記取付け対象側部材がパネル状部材で構成されるとともに、前記ワイヤーハーネスを保持させる少なくとも１つの保持部材が前記パネル状部材に一体的に装着されており、
前記保持部材は、前記パネル状部材に片持ち支持された撓み変形可能な支柱部と、前記支柱部の一側方に延びて前記パネル状部材との間にハーネス収納凹部を形成するよう前記支柱部に一体に支持され、前記支柱部の撓み変形に応じて前記パネル状部材に対し接近および離隔する方向に回動可能なハーネス押さえ部と、少なくとも前記ハーネス押さえ部が前記パネル状部材から離隔する方向に回動したとき前記ハーネス押さえ部を前記パネル状部材に接近する復帰方向に付勢するよう前記支柱部の他側方に設けられ、前記支柱部および前記ハーネス押さえ部により前記ワイヤーハーネスを前記パネル状部材に対して保持させる保持ばね部と、基端側で前記ハーネス押さえ部と一体に形成され、先端側で前記ハーネス押さえ部を前記パネル状部材から離隔させる方向に回動させるよう操作される操作突起部と、を有していることを特徴とするワイヤーハーネス固定装置。
【請求項２】
前記パネル状部材が樹脂製パネルであって、前記保持部材が、前記樹脂製パネルに一体成形されており、前記ハーネス押さえ部が前記パネル状部材に対し回動するとき、前記支柱部が前記パネル状部材の板面方向に撓み変形することを特徴とする請求項１に記載のワイヤーハーネス固定装置。
【請求項３】
前記操作突起部は、前記支柱部に支持されつつ前記ハーネス押さえ部に一体に連結された基端部と、該基端部から前記ハーネス押さえ部とは反対側に延びる中間部と、前記保持ばね部に一体に連結された先端部とを有しており、前記ハーネス押さえ部により前記ワイヤーハーネスを保持させる前の初期状態では、前記操作突起部の前記先端部が前記操作突起部の前記基端部より前記パネル状部材から離れていることを特徴とする請求項１または２に記載のワイヤーハーネス固定装置。
【請求項４】
前記保持ばね部が、前記支柱部に支持された一端部と、前記ハーネス押さえ部に一体に連結された他端部と、前記支柱部に対し前記他側方に向かって突出するとともに前記一端部から前記他端部へと折り返す湾曲形状をなす中間部とを有していることを特徴とする請求項１または２に記載のワイヤーハーネス固定装置。
【請求項５】
請求項１ないし４のうちいずれか一項に記載のワイヤーハーネス固定装置によって前記ワイヤーハーネスを前記パネル状部材に保持させたハーネスモジュール。
【発明の詳細な説明】
【技術分野】
【０００１】
本発明は、ワイヤーハーネス固定装置およびハーネスモジュールに関し、特にワイヤーハーネスを複数箇所でパネル上に保持するワイヤーハーネス固定装置とそれを備えたハーネスモジュールに関する。
【背景技術】
【０００２】
従前より、パネル上にワイヤーハーネスを配索する場合には、クリップを用いてワイヤーハーネスを複数箇所でパネル上に保持するワイヤーハーネス固定装置が用いられているが、パネルサイズによってはクリップを不要にしてワイヤーハーネスの取付け作業の工数低減を図ったものがある。
【０００３】
そのようなワイヤーハーネス固定装置としては、例えば自動車のドアに装着される樹脂製のドアモジュールパネルに、ワイヤーハーネスを保持したり案内したりする複数の突片状の係止爪や挟持爪等が一体成形で設けられたハーネスモジュールが知られている（例えば、特許文献１参照）。
【先行技術文献】
【特許文献】
【０００４】
【特許文献１】特開２００２−２８０１２６号公報
【発明の概要】
【発明が解決しようとする課題】
【０００５】
しかしながら、このような従来のワイヤーハーネス固定装置およびハーネスモジュールにあっては、ドアモジュールパネルと一体の係止爪や挟持爪等によって保持されるハーネスの直径が限定される構成となっていたため、汎用性に欠けるという問題があった。
【０００６】
すなわち、ワイヤーハーネスの太さが異なると、ドアモジュールパネルを使用できなくなってハーネスモジュールのコスト高を招いたり、ワイヤーハーネスの特定の保持部位での振動時等における異音発生や脱落発生の懸念からハーネスモジュールの信頼性が低下したりしていた。
【０００７】
また、従来のワイヤーハーネス固定装置にあっては、係止爪や挟持爪等がワイヤーハーネスの部分的なサイズや分岐形状等に対応する形状であったため、ワイヤーハーネスをモジュールパネルに保持させる取付け作業の作業性も良くなかった。
【０００８】
そこで、本発明は、ワイヤーハーネスの取付け作業性および保持性能に優れた汎用性の高いワイヤーハーネス固定装置を提供し、さらに、信頼性の高い低コストのハーネスモジュールを提供することを目的とする。
【課題を解決するための手段】
【０００９】
本発明に係るワイヤーハーネス固定装置は、上記目的達成のため、前記取付け対象側部材がパネル状部材で構成されるとともに、前記ワイヤーハーネスを保持させる少なくとも１つの保持部材が前記パネル状部材に一体的に装着されており、
前記保持部材は、前記パネル状部材に片持ち支持された撓み変形可能な支柱部と、前記支柱部の一側方に延びて前記パネル状部材との間にハーネス収納凹部を形成するよう前記支柱部に一体に支持され、前記支柱部の撓み変形に応じて前記パネル状部材に対し接近および離隔する方向に回動可能なハーネス押さえ部と、少なくとも前記ハーネス押さえ部が前記パネル状部材から離隔する方向に回動したとき前記ハーネス押さえ部を前記パネル状部材に接近する復帰方向に付勢するよう前記支柱部の他側方に設けられ、前記支柱部および前記ハーネス押さえ部により前記ワイヤーハーネスを前記パネル状部材に対して保持させる保持ばね部と、基端側で前記ハーネス押さえ部と一体に形成され、先端側で前記ハーネス押さえ部を前記パネル状部材から離隔させる方向に回動させるよう操作される操作突起部と、を有している構成となっている。
【００１０】
この構成により、本発明のワイヤーハーネス固定装置では、保持部材がそのハーネス押さえ部の開き具合に応じて太さの異なるワイヤーハーネスに容易に対応可能となり、ハーネス押さえ部に保持ばね部からの付勢力が加わることで、ワイヤーハーネスがハーネス押さえ部とパネル状部材との間に確実に挟持される。したがって、ワイヤーハーネスの取付け作業性および保持性能に優れた汎用性の高いワイヤーハーネス固定装置となる。さらに、ワイヤーハーネスの取付けおよび保持に際して、保持部材の操作突起部によって、ハーネス押さえ部を容易にパネル状部材から離隔する側に回動させることができ、作業性が良い。
【００１１】
上記構成のワイヤーハーネス固定装置は、前記パネル状部材が樹脂製パネルであって、前記保持部材が、前記樹脂製パネルに一体成形されており、前記ハーネス押さえ部が前記パネル状部材に対し回動するとき、前記支柱部が前記パネル状部材の板面方向に撓み変形するように構成されてもよい。この構成により、部品点数を削減できるとともに、保持部材の保持性能も高まる。
【００１２】
前記操作突起部は、前記支柱部に支持されつつ前記ハーネス押さえ部に一体に連結された基端部と、該基端部から前記ハーネス押さえ部とは反対側に延びる中間部と、前記保持ばね部に一体に連結された先端部とを有しており、前記ハーネス押さえ部により前記ワイヤーハーネスを保持させる前の初期状態では、前記操作突起部の前記先端部が前記操作突起部の前記基端部より前記パネル状部材から離れている構成であってもよい。この構成により、保持可能なワイヤーハーネスの太さの範囲を十分に確保できるとともに、保持ばね部の撓み量を十分に確保できる。
【００１３】
前記保持ばね部が、前記支柱部に支持された一端部と、前記ハーネス押さえ部に一体に連結された他端部と、前記支柱部に対し前記他側方に向かって突出するとともに前記一端部から前記他端部へと折り返す湾曲形状をなす中間部とを有している構成であってもよい。この構成により、ワイヤーハーネス装着時におけるハーネス押さえ部の回動および復帰の角度を大きく確保できる。しかも、支柱部、保持ばね部およびハーネス押さえ部がすべてワイヤーハーネスに近接配置されることになるので、材料量が抑えられるとともに成形型等も簡素化できる。
【００１４】
本発明に係るハーネスモジュールは、上記目的達成のため、上記のいずれかのワイヤーハーネス固定装置によって前記ワイヤーハーネスを前記パネル状部材に保持させた構成となっている。
【００１５】
この構成により、本発明に係るハーネスモジュールでは、保持部材のハーネス押さえ部の開き具合に応じてパネル状部材に太さの異なるワイヤーハーネスでも容易に取付け可能となり、保持ばね部からの付勢力によりワイヤーハーネスがハーネス押さえ部とパネル状部材の間に確実に挟持される。しかも、ワイヤーハーネスの取付けおよび保持に際して、操作突起部によりハーネス押さえ部を開き側に回動操作できる。したがって、ワイヤーハーネスの取付け作業性および保持性能に優れ、信頼性の高い低コストのハーネスモジュールとなる。
【発明の効果】
【００１６】
本発明によれば、ワイヤーハーネスの取付け作業性および保持性能に優れた汎用性の高いワイヤーハーネス固定装置を提供することができ、信頼性の高い低コストのハーネスモジュールを提供することができる。
【図面の簡単な説明】
【００１７】
【図１】本発明の第１の実施の形態に係るワイヤーハーネス固定装置を備えたハーネスモジュールとしてのドアモジュールパネルの斜視図である。
【図２】本発明の第１の実施の形態に係るドアモジュールパネルの正面図である。
【図３】本発明の第１の実施の形態に係るワイヤーハーネス固定装置の要部拡大斜視図である。
【図４】本発明の第１の実施の形態に係るワイヤーハーネス固定装置の要部拡大断面図であり、その保持部材が小径のワイヤーハーネスを保持する状態を示している。
【図５】本発明の第１の実施の形態に係るワイヤーハーネス固定装置の要部拡大断面図であり、その保持部材が大径のワイヤーハーネスを保持する状態を示している。
【図６】本発明の第２の実施の形態に係るワイヤーハーネス固定装置の要部拡大斜視図である。
【図７】（ａ）は、本発明の第２の実施の形態に係るワイヤーハーネス固定装置における保持部材のハーネス押さえ部の開放状態を示す要部拡大側面断面図であり、（ｂ）は、同保持部材のハーネス押さえ部の復帰状態を示す要部拡大側面断面図である。
【図８】本発明の第３の実施の形態に係るワイヤーハーネス固定装置における保持部材のハーネス押さえ部付近の要部拡大側面断面図である。
【図９】本発明の第４の実施の形態に係るワイヤーハーネス固定装置における保持部材のハーネス押さえ部付近の要部拡大斜視図である。
【発明を実施するための形態】
【００１８】
以下、本発明を実施するための形態について、図面を参照しつつ説明する。
【００１９】
（第１の実施の形態）
図１ないし図５は、本発明の第１の実施の形態に係るワイヤーハーネス固定装置およびハーネスモジュールを示している。
【００２０】
まず、その構成について説明する。
【００２１】
図１および図２に示すように、本実施の形態に係るドアモジュール１０は、自動車のドア、例えばそのドアインナパネル１に装着されるものである。このドアモジュール１０は、ワイヤーハーネス１１と、ワイヤーハーネス１１を複数箇所で保持するドアモジュールパネル１２（取付け対象側部材）とを備えている。
【００２２】
ワイヤーハーネス１１は、ドアインナパネル１に直接または間接的に支持される複数種の電装機器を図示しない車体側の電源や制御機器に接続する複数の被覆電線１１ｗ（図３参照）と、コネクタ１１ｅ，１１ｆ，１１ｇ，１１ｈ等によって構成されている。なお、複数種の電装機器とは、例えばパワーウィンドウモータやリモートコントロールミラーモータ、パワーウィンドウスイッチおよびリモコンミラースイッチ等である。
【００２３】
具体的には、ワイヤーハーネス１１は、図１中の左端側で図示しない車体パネル側のワイヤーハーネスに接続される幹線部１１ａと、幹線部１１ａからドアモジュールパネル１２に沿って分岐して前記複数種の電装機器に接続される複数の枝線部１１ｂ，１１ｃ等を有している。なお、図１中では、ワイヤーハーネス１１がドアモジュールパネル１２の片面側にのみ配置されているが、ワイヤーハーネス１１の幹線部１１ａや枝線部１１ｂ，１１ｃのいずれかがドアモジュールパネル１２の開口部を通って両面側に及ぶように配索されてもよい。
【００２４】
ドアモジュールパネル１２は、成形型による加工が可能な樹脂によって、パネル状部材として成形されたものである。
【００２５】
図２に示すように、このドアモジュールパネル１２には、ワイヤーハーネス１１の幹線部１１ａの延在方向に離間する複数、例えば３つの同一種類の保持部材２１が一体的に装着されている。これら複数の保持部材２１は、ドアモジュールパネル１２と同一の樹脂素材からなり、成形型によってドアモジュールパネル１２と一体に成形されている。
【００２６】
また、これら複数の保持部材２１は、ドアモジュールパネル１２を介して互いに一体に結合され、ワイヤーハーネス固定装置２０を構成している。そして、このワイヤーハーネス固定装置２０によって、ワイヤーハーネス１１がドアモジュールパネル１２に対して複数箇所で保持されている。
【００２７】
図３および図４に示すように、各保持部材２１は、支柱部２２、ハーネス収納凹部２３、ハーネス押さえ部２４、保持ばね部２５および操作レバー部２６（操作突起部）により構成されている。
【００２８】
各支柱部２２は、ドアモジュールパネル１２のパネル本体部１２Ｍにその片面から垂直に突出するよう一体に片持ち支持された板状のものであり、板厚方向に撓み変形可能な所定剛性の弾性板となっている。また、複数の支柱部２２は、配索後のワイヤーハーネス１１の保持部位の直下に位置するように配置されており、それぞれパネル本体部１２Ｍに対し垂直に突出している。
【００２９】
図１および図２に簡略化して例示するワイヤーハーネス１１の配索形態においては、複数の支柱部２２は、水平方向に延びるワイヤーハーネス１１の幹線部１１ａの真下に位置するよう、パネル本体部１２Ｍに対して同一姿勢で支持されており、それら複数の支柱部２２の板厚方向が略鉛直方向となっている。
【００３０】
図４に示すように、ハーネス収納凹部２３は、支柱部２２の一側方（図４中の上方側である鉛直上方）にワイヤーハーネス１１を収納できるよう、支柱部２２およびハーネス押さえ部２４とパネル本体部１２Ｍとの間に凹状に形成されている。
【００３１】
ハーネス押さえ部２４は、支柱部２２の先端部から鉛直方向上方側に延びつつ湾曲する板状をなしており、支柱部２２と共にドアモジュールパネル１２に向かって開く凹状に湾曲している。また、ハーネス押さえ部２４は、支柱部２２の板厚方向の撓み量に応じてドアモジュールパネル１２に対し接近および離隔する方向（後述するＲ１、Ｒ２方向）に回動可能になっている。
【００３２】
ハーネス押さえ部２４は、また、例えば太さの異なるワイヤーハーネス１１のうち特定径のワイヤーハーネス１１の保持部位の半径に対応する内周面曲率半径をなしつつ、その腕長さ方向の中央部付近で湾曲している。なお、ここにいう特定径とは、図４に示す最小径ｄから図５に示す最大径Ｄまでの間の任意の直径である。
【００３３】
操作レバー部２６は、ハーネス押さえ部２４および保持ばね部２５の間に介在するよう基端側でハーネス押さえ部２４と一体に形成されており、ハーネス押さえ部２４をドアモジュールパネル１２のパネル本体部１２Ｍから離隔させる方向に回動させるよう先端側で押圧操作されるようになっている。
【００３４】
具体的は、操作レバー部２６は、支柱部２２の先端部から鉛直方向下方側（支柱部２２の他側方）に延びるようハーネス押さえ部２４および支柱部２２に一体に連結された基端部２６ａと、その基端部２６ａからハーネス押さえ部２４とは反対側に延びる中間部２６ｂと、保持ばね部２５に一体に連結された先端部２６ｃとを有している。
【００３５】
また、操作レバー部２６はハーネス押さえ部２４と保持ばね部２５とを一体に連結しており、操作レバー部２６がドアモジュールパネル１２側に押圧操作されるとき、ハーネス押さえ部２４が図５中のＲ２方向（回動方向の他方側）に回動操作されるとともに、保持ばね部２５の撓み量が増加するようになっている。
【００３６】
保持ばね部２５は、操作レバー部２６の先端部からドアモジュールパネル１２側に突出するよう支柱部２２の他側方で操作レバー部２６に片持ち支持された板ばねであり、パネル本体部１２Ｍに向かって凹状をなすハーネス押さえ部２４とは逆の方向に湾曲する形状をなしている。
【００３７】
この保持ばね部２５は、ハーネス押さえ部２４をドアモジュールパネル１２に接近する図４中のＲ１方向（回動方向一方側、復帰方向）に付勢し、ハーネス押さえ部２４によりワイヤーハーネス１１をドアモジュールパネル１２側に押圧しつつ保持させるようになっている。
【００３８】
さらに、ドアモジュールパネル１２のパネル本体部１２Ｍと保持部材２１とは一体成形されており、ハーネス押さえ部２４がドアモジュールパネル１２に対しＲ２方向またはＲ１方向に回動するとき、支柱部２２がパネル本体部１２Ｍの板面方向に撓むように弾性変形したり初期形状に弾性回復したりするようになっている。
【００３９】
また、図４に示す断面上において、ハーネス押さえ部２４および操作レバー部２６は互いに一体に連結されたそれらの基端側で支柱部２２の先端部に向かって突出するように湾曲もしくは屈曲した形状をなしている。
【００４０】
そして、ハーネス押さえ部２４によりワイヤーハーネス１１を保持させる前の保持部材２１の初期状態、例えば図４中に二点鎖線で示す保持部材２１の復帰状態では、操作レバー部２６の先端部２６ｃが操作レバー部２６の基端部２６ａよりドアモジュールパネル１２のパネル本体部１２Ｍから離れている。
【００４１】
さらに、保持部材２１は、支柱部２２より鉛直上方側にハーネス押さえ部２４を有しており、図４中の操作レバー部２６の下端側からハーネス押さえ部２４の上端側に近くなるほど、これらの板厚が薄くなっている。
【００４２】
このように、ドアモジュール１０は、ドアモジュールパネル１２に一体的に装着されたワイヤーハーネス固定装置２０の複数の保持部材２１によって、ワイヤーハーネス１１の長さ方向に離間する複数箇所の保持部位で、ワイヤーハーネス１１をドアモジュールパネル１２に保持させる構成となっている。
【００４３】
次に、作用について説明する。
【００４４】
上述のように構成された本実施形態のドアモジュール１０およびワイヤーハーネス固定装置２０では、保持部材２１がハーネス押さえ部２４の開き具合に応じて太さの異なるワイヤーハーネス１１に容易に対応可能となる。また、ハーネス押さえ部２４に保持ばね部２５からの付勢力が加わることで、ワイヤーハーネス１１がハーネス押さえ部２４とパネル本体部１２Ｍの間に確実に挟持され得る。したがって、ワイヤーハーネス１１の取付け作業性および保持性能に優れた汎用性の高いワイヤーハーネス固定装置２０となる。
【００４５】
しかも、本実施形態では、メンテナンスやリサイクル等のためにワイヤーハーネス１１をパネル本体部１２Ｍから取り外す必要が生じても、保持部材２１を破断させることなく、ワイヤーハーネス１１を取り外すことができ、作業ミス等のためにワイヤーハーネス１１を取り外した場合には、ワイヤーハーネス１１を容易かつ確実に再取付けできる。
【００４６】
また、保持部材２１が操作レバー部２６を有しているので、ワイヤーハーネス１１の取付けおよび保持に際して、複数の保持部材２１のハーネス押さえ部２４を取付け順に順次容易にパネル本体部１２Ｍから離隔する側（図５中のＲ２方向）に回動させることができ、ワイヤーハーネス１１の取付け作業性が良い。
【００４７】
さらに、ハーネス押さえ部２４がパネル本体部１２Ｍに対し回動するとき、支柱部２２がパネル本体部１２Ｍの板面方向である板厚方向に撓むので、支柱部２２を支持板のみならず弾性板としても機能させることができ、部品点数を削減できるとともに保持部材２１の保持性能も高めることができる。
【００４８】
加えて、初期状態では操作レバー部２６の先端部２６ｃが操作レバー部２６の基端部２６ａよりパネル本体部１２Ｍから離れているので、保持可能なワイヤーハーネス１１の太さの範囲を十分に確保できるとともに、保持ばね部２５の撓み量を十分に確保できる。
【００４９】
また、保持部材２１は、支柱部２２より鉛直上方側にハーネス押さえ部２４を有しているので、ワイヤーハーネス１１の保持をより安定させることができる。
【００５０】
よって、本実施形態のドアモジュール１０では、保持部材２１のハーネス押さえ部２４の開き具合に応じて保持部材２１が一体的に装着されたパネル本体部１２Ｍに太さの異なるワイヤーハーネス１１を容易に取付け可能となり、パネル本体部１２Ｍに一体化したワイヤーハーネス固定装置２０の汎用性が高まる。したがって、信頼性が高い低コストのドアモジュール１０となる。
【００５１】
このように、本実施形態によれば、ワイヤーハーネス１１の取付け作業性および保持性能に優れた汎用性の高いワイヤーハーネス固定装置２０を提供することができ、信頼性の高い低コストのドアモジュール１０を提供することができる。
【００５２】
（第２の実施の形態）
図６および図７は、本発明の第２の実施の形態に係るワイヤーハーネス固定装置を示している。なお、以下に説明する各実施の形態のワイヤーハーネス固定装置は、上述の第１の実施の形態に係るドアモジュール１０と略同様の全体構成を有するハーネスモジュールの一部を構成している。したがって、以下、第１の実施の形態と類似する構成については図１ないし図５に示した対応する構成要素の符号を用いて図示を省略し、第１の実施の形態との相違点を中心に説明する。
【００５３】
図６は、本実施の形態のドアモジュールパネル１２のパネル本体部１２Ｍを介して互いに一体に結合された複数の保持部材３１のうちに任意の１つを示している。この保持部材３１は、支柱部３２、ハーネス収納凹部３３、ハーネス押さえ部３４、保持ばね部３５および操作突起部３６により構成されている。
【００５４】
支柱部３２は、ドアモジュールパネル１２のパネル本体部１２Ｍにその片面から垂直に突出するよう一体に片持ち支持された板状のものであり、その板厚方向に撓み変形可能な所定剛性の弾性板となっている。また、支柱部３２は、配索後のワイヤーハーネス１１の保持部位の直下に位置するように配置されており、それぞれパネル本体部１２Ｍに対し垂直に突出している。
【００５５】
さらに、複数の支柱部３２は、水平方向に延びるワイヤーハーネス１１の幹線部１１ａの真下に位置するよう、パネル本体部１２Ｍに対して同一姿勢で支持されており、それら複数の支柱部３２の板厚方向が略鉛直方向となっている。
【００５６】
図７に示すように、ハーネス収納凹部３３は、支柱部３２の一側方（図７中の上方側である鉛直上方）にワイヤーハーネス１１を収納できるよう、支柱部３２およびハーネス押さえ部３４とパネル本体部１２Ｍとにより凹状に形成されている。
【００５７】
ハーネス押さえ部３４は、支柱部３２の先端側で鉛直方向上方側に延びつつ湾曲する板状をなしており、支柱部３２と共にドアモジュールパネル１２に向かって開く凹状をなしている。また、ハーネス押さえ部３４は、支柱部３２の板厚方向の撓み量に応じてドアモジュールパネル１２に対し接近および離隔する方向（図７中のＲ１、Ｒ２方向）に回動可能になっている。
【００５８】
保持ばね部３５は、支柱部３２に支持された一端部３５ａと、ハーネス押さえ部３４に一体に連結された他端部３５ｂと、支柱部３２に対し他側方に向かって突出するとともに一端部３５ａから他端部３５ｂへと折り返す湾曲形状をなす中間部３５ｃとを有している。この保持ばね部３５は、ハーネス押さえ部３４の基端部と支柱部３２の先端部との間で支柱部３２に対してハーネス押さえ部３４とは反対側に配置された略Ｕ形断面の曲り梁状の板ばね部分である。
【００５９】
操作突起部３６は、ハーネス押さえ部３４と一体に形成されており、ハーネス押さえ部３４をドアモジュールパネル１２のパネル本体部１２Ｍから離隔させる方向に回動させる操作（手指または工具を係合させる回動操作）が可能になっている。
【００６０】
具体的は、操作突起部３６は、ハーネス押さえ部３４の先端側の外面部分に一体に連結された基端部３６ａと、ハーネス押さえ部３４の先端側の外面から鉛直斜め上方向側に突出した先端部３６ｃとを有している。
【００６１】
そして、図７（ａ）に示すように、この操作突起部３６がドアモジュールパネル１２から離隔する矢印Ｒ２方向側に操作されるとき、ハーネス収納凹部３３内にワイヤーハーネス１１の幹線部１１ａを挿入できるようにハーネス押さえ部３４が開放側に回動する。
【００６２】
保持ばね部３５は、このように操作突起部３６によってハーネス押さえ部３４がドアモジュールパネル１２から離隔する側に操作されるときに応力を生じ、この応力によりハーネス押さえ部３４をドアモジュールパネル１２に接近する図７（ｂ）中のＲ１方向（復帰方向）に付勢するようになっている。これにより、ハーネス押さえ部３４によりワイヤーハーネス１１をドアモジュールパネル１２側に押圧しつつ保持させるようになっている。なお、ここでの押圧力は、第１の実施の形態におけるハーネス押さえ部２４からワイヤーハーネス１１への押圧力より小さくなってもよいが、矢印Ｒ１，Ｒ２方向への曲げ剛性が保持ばね部３５によって低く抑えられ、比較的低いばね定数となっている。
【００６３】
さらに、ドアモジュールパネル１２のパネル本体部１２Ｍと保持部材３１とは一体成形されており、ハーネス押さえ部３４がドアモジュールパネル１２に対しＲ２方向またはＲ１方向に回動するとき、支柱部３２および保持ばね部３５の双方が操作方向または復帰方向に弾性変形したり弾性回復したりする。したがって、ハーネス押さえ部３４の開放操作角度および復帰角度は、比較的大きくなっている。
【００６４】
本実施形態においても、ワイヤーハーネス１１の取付け作業性および保持性能に優れた汎用性の高いワイヤーハーネス固定装置２０を提供することができ、信頼性の高い低コストのドアモジュール１０を提供することができる。
【００６５】
さらに、本実施形態においては、ワイヤーハーネス１１の装着時におけるハーネス押さえ部３４の回動操作および復帰の角度を大きく確保できる。しかも、支柱部３２、保持ばね部３５およびハーネス押さえ部３４がすべてワイヤーハーネス１１に近接配置されることになるので、各保持部材３１の材料量が抑えられるとともに、その成形型等も簡素化できる。
【００６６】
（第３の実施の形態）
図８は、本発明の第３の実施の形態に係るワイヤーハーネス固定装置を示している。
【００６７】
図８に示すように、本実施の形態の保持部材４１は、支柱部３２、ハーネス収納凹部３３、ハーネス押さえ部３４、保持ばね部３５および操作突起部４６により構成されている。
【００６８】
操作突起部４６は、ハーネス押さえ部３４と一体に形成された環状または逆Ｕ字形状のもので、ハーネス押さえ部３４をドアモジュールパネル１２のパネル本体部１２Ｍから離隔させる方向に回動させる操作が可能になっている。
【００６９】
具体的は、操作突起部４６は、ハーネス押さえ部３４の先端側の外面部分に一体に連結された基端部４６ａと、ハーネス押さえ部３４との間に操作用穴部４６ｂを形成するようハーネス押さえ部３４の先端側の外面から鉛直斜め上方向側に突出した先端部４６ｃと、を有している。
【００７０】
そして、この操作突起部４６がドアモジュールパネル１２から離隔するよう操作されるとき、ハーネス収納凹部３３内にワイヤーハーネス１１の幹線部１１ａを挿入できるようになっている。
【００７１】
本実施形態においても、上述の第１、第２の実施の形態と同様の効果が得られる。
【００７２】
（第４の実施の形態）
図９は、本発明の第４の実施の形態に係るワイヤーハーネス固定装置を示している。
【００７３】
図９に示すように、本実施の形態の保持部材５１は、支柱部３２、ハーネス収納凹部３３、ハーネス押さえ部３４、保持ばね部３５および左右一対の横向きの操作突起部５６により構成されている。
【００７４】
左右一対の操作突起部５６は、ハーネス押さえ部３４の先端から所定距離だけ離れた中間部の両側面から互いに逆向きに突出しており、ハーネス押さえ部３４をドアモジュールパネル１２のパネル本体部１２Ｍから離隔させる方向に回動させるよう操作可能になっている。
【００７５】
これら操作突起部５６は、それぞれハーネス押さえ部３４の両側面部分に一体に連結された基端部５６ａと、ハーネス押さえ部３４の両側面部分からワイヤーハーネス１１の延在方向に突出した先端部５６ｃと、を有している。
【００７６】
そして、これら操作突起部５６がドアモジュールパネル１２から離隔するよう操作されるとき、ハーネス収納凹部３３内にワイヤーハーネス１１の幹線部１１ａを挿入できるようになっている。
【００７７】
本実施の形態においても、上述の第１ないし第３の実施の形態と同様の効果が得られる。
【００７８】
なお、上述の一実施形態においては、ドアモジュールパネル１２に複数の保持部材２１が一体的に装着されていた。しかし、本発明は、少なくとも１つの保持部材２１がパネル本体部１２Ｍに一体的に装着され、ワイヤーハーネス１１の他の保持部位が、ドアモジュールパネル１２と一体の他方式の保持爪や挟持爪等によって保持されたり、ドアモジュールパネル１２とは別体のクリップを介して保持されたりする場合でも適用できる。
【００７９】
また、保持部材２１がドアモジュールパネル１２のパネル本体部１２Ｍに一体成形以外の装着方法で一体的に装着されてもよいし、保持部材のうち保持ばね部を別体とすることも考えられる。支柱部２２は、必ずしもパネル本体部１２Ｍから垂直方向に突出してパネル本体部１２Ｍの板面方向に撓むものである必要はなく、パネル本体部１２Ｍに片持ち支持されて撓み得るものであればよい。
【００８０】
以上のように、本発明は、ワイヤーハーネスの取付け作業性および保持性能に優れた汎用性の高いワイヤーハーネス固定装置を提供することができ、信頼性の高い低コストのハーネスモジュールを提供することができるものであり、ワイヤーハーネスを複数箇所でパネル上に保持するワイヤーハーネス固定装置およびハーネスモジュール全般に有用である。
【符号の説明】
【００８１】
１  ドアインナパネル（ドア）
１０  ドアモジュール（ハーネスモジュール）
１１  ワイヤーハーネス
１１ａ  幹線部
１１ｂ，１１ｃ  枝線部
１２  ドアモジュールパネル（取付け対象側部材  パネル状部材）
１２Ｍ  パネル本体部（樹脂製パネル）
２０  ワイヤーハーネス固定装置
２１，３１，４１，５１  保持部材
２２，３２  支柱部
２３，３３  ハーネス収納凹部
２４，３４  ハーネス押さえ部
２５，３５  保持ばね部
２６  操作レバー部（操作突起部）
２６ａ  基端部
２６ｂ  中間部
２６ｃ  先端部
３５ａ  一端部
３５ｂ  他端部
３５ｃ  中間部
３６，４６，５６  操作突起部
【図１】
2015047060.tif 000003
【図２】
2015047060.tif 000004
【図３】
2015047060.tif 000005
【図４】
2015047060.tif 000006
【図５】
2015047060.tif 000007
【図６】
2015047060.tif 000008
【図７】
2015047060.tif 000009
【図８】
2015047060.tif 000010
【図９】
2015047060.tif 000011